(57)【要約】【課題】使用に便利な電子装置を提供する。【解決手段】ケースとファンモジュールと透明可動カバーとを含む電子装置を提供する。ファンおよびフィンセットを含むファンモジュールがケース中に配置される。フィンセットがファンの傍らに配置され、かつスペースがフィンセットおよびファン間に形成される。透明可動カバーがケースに連接されるとともに、フィンセットおよびファン間に形成されるスペース上方に位置する。【選択図】図４
2011071465.tif 000002
【特許請求の範囲】
【請求項１】
ケースと；
前記ケース中に配置され、ファンと、前記ファンの傍らに配置され前記ファンとの間にスペースが形成されるフィンセットを含むファンモジュールと：
前記ケースに連接されるとともに、前記フィンセットおよび前記ファン間に形成される前記スペース上方に位置する透明可動カバーと
を含む電子装置。
【請求項２】
前記ケースが、前記ファンモジュールの前記ファンの上方に対応するように位置する多数の開口を有する請求項１記載の電子装置。
【請求項３】
前記透明可動カバーが、前記ケースから取外しできるものである請求項１記載の電子装置。
【請求項４】
前記透明可動カバーの一側が前記ケースに連接され、前記透明可動カバーの他側が前記ケースに対して開放かつ閉鎖できる請求項１記載の電子装置。
【請求項５】
前記透明可動カバーが：
ボディと；
前記ボディの一側に配置され、かつ両端が前記ケースに軸付けされて、前記ボディの他側が前記ケースに対して開放かつ閉鎖できるピボットと
を備える請求項４記載の電子装置。
【請求項６】
前記ピボットおよび前記ボディが、一体的に成形されるものである請求項５記載の電子装置。
【請求項７】
前記ケースが、前記ケースに連接しない前記透明可動カバーの前記一側に隣接して位置する凹部を有する請求項４記載の電子装置。
【請求項８】
前記ファンモジュールが更に前記フィンセットを貫通するヒートパイプを備えるとともに、前記ヒートパイプの一部が前記ファンを取り囲む請求項１記載の電子装置。
【請求項９】
前記ファンモジュールが更に多数の冷却プレートを備え、かつ前記ヒートパイプが前記冷却プレートに連接される請求項８記載の電子装置。
【発明の詳細な説明】
【技術分野】
【０００１】
この発明は、電子装置に関する。とりわけ、この発明は、使用が容易な電子装置に関する。
【背景技術】
【０００２】
集積回路（integrated circuits =ICs）の製造技術の急速な発展に伴って、電子部品がより速い操作速度を備えるために改良されている。しかしながら、高速で運転される電子部品は、絶え間なく大量の熱量を発生させており、もしも電子部品により発生される熱量が排出されなければ、電子部品の温度が継続的に増大する。電子部品の温度が臨界値に到達する時、電子部品の動作安定性が影響を受ける、または電子部品が損傷さえしてしまう。
【０００３】
情報処理器（コンピューターホスト・携帯電話またはノートブックコンピューター等のような電子装置）は、多数の電子部品から構成される。電子装置は、頻繁に使用されるため、その内部部品は、その使用時間が長すぎる故に不十分な運転効果に陥る。図１は、従来の電子装置を示す概略的な斜視図である。実例としてファンを挙げると、電子装置１００の運転機能を安定したものに維持するため、ファンモジュール１１０が一般的に電子装置１００へ組み込まれる。ファンモジュール１１０がファン１１２と冷却フィン１１４とを含み、そのうち、ファン１１２が循環気流を冷却フィン１１４へ提供して、電子部品（例えば、中央処理ユニット）により発生される熱量を排出するとともに、電子装置１００全体の性能および安定性を維持する。
【０００４】
電子装置１００のファン１１２の長い使用時間のために、粉塵（dust）が冷却フィン１１４に付着する。従って、冷却フィン１１４の冷却効果が悪くなり、電子部品（例えば、中央処理ユニット）により発生される熱量が排出できなくなり、かつ、それで電子部品の運転性能が劣ったものとなり、電子装置１００の運転不能（operation failure）にさえなる。
【０００５】
冷却フィン１１４上の粉塵を除去するために、ユーザーは、電子装置１００を修理ステーションへ出すこともできるが、修理された電子装置１００を得るには比較的時間がかかるとともに、ユーザーは、電子装置１００を欠いたまま長い時間を待たなければならない。他方、修理要員が冷却フィン１１４上の粉塵を取り扱う時、修理要員は、電子装置１００のケースと他の電子部品とを取外さなければならず、電子装置１００のケースに固定された冷却フィン１１４を取り外さなければならない。その後、修理要員は、ブラシを使って冷却フィン１１４上に積み重なった粉塵を直接清掃するとともに、電子装置１００のケース上に浄化された冷却フィン１１４を再度固定する。
【発明の概要】
【発明が解決しようとする課題】
【０００６】
そのような取外しの方法中、修理要員は、電子装置１００中の部品を取り外すために、より多くの時間を費やすことななる。もし電子装置１００が粉塵の多い環境中で使用されていれば、粉塵がより速く、かつ容易に冷却フィン１１４上に積み重なるため、冷却フィン１１４上に積み重なった粉塵を頻繁に除去して、電子装置１００の正常な運転を保証しなければならない。
【０００７】
従って、ユーザーが冷却フィン１１４上に積み重なった粉塵を如何に容易にクリーニングするか緊急に解決されるべき問題である。
【０００８】
そこで、この発明の目的は、使用に便利な電子装置を提供することにある。
【課題を解決するための手段】
【０００９】
この発明は、ケースとファンモジュールと透明可動カバーとを含む電子装置を提供する。ファンおよびフィンセットを含むファンモジュールがケース中に配置される。フィンセットがファンの傍らに配置され、かつスペースがフィンセットおよびファン間に形成される。透明可動カバーがケースに連接されるとともに、フィンセットおよびファン間に形成されるスペース上方に位置する。
【００１０】
この発明の実施形態中、ケースが多数の開口を有するとともに、開口がファンモジュールのファンの上方に対応するように位置する。
【００１１】
この発明の実施形態中、透明可動カバーが、前ケースから取外しできる。
【００１２】
この発明の実施形態中、透明可動カバーの一側がケースに連接され、透明可動カバーの他側がケースに対して開放かつ閉鎖できる。透明可動カバーがボディとピボットとを含む。ピボットがボディの一側に配置され、かつピボットの両端がケースに軸付けされて、ボディの他端がケースに対して開放かつ閉鎖できる。ピボットおよびボディが一体的に成形される。また、ケースが、ケースに連接しない透明可動カバーの一側に隣接して位置する凹部を有する。
【００１３】
この発明の実施形態中、ファンモジュールが更にフィンセットを貫通するヒートパイプを備えるとともに、ヒートパイプの一部がファンを取り囲む。また、ファンモジュールが更に多数の冷却プレートを備え、かつヒートパイプが前記冷却プレートに連接される。
【００１４】
上記に従って、この発明の電子装置中、スペースがファンおよびフィンセット間に形成されるので、ユーザーがケースに対して開放できる透明可動カバーを通してフィンセットに積み重なった粉塵の状態を監視でき、かつ透明可動カバーを開いてフィンセットを清掃できる。従って、フィンセットに積み重なった粉塵が、電子装置からフィンセットを分離することなく清掃できるから、電子装置が使用に便利である。
【発明の効果】
【００１５】
この発明の電子装置が透明可動カバーを有するため、ユーザーは、透明可動カバーを通してフィンセット上に積み重なった綿（cotton）くず及び粉塵を監視できるので、清掃を実施するか否か決定できる。また、透明可動カバーとファンおよびフィンセット間に形成されたスペースとの構成によって、ユーザーは、ケース・ケース中の他の電子部品およびフィンセットさえケースから取り外すことなく、ケースに対して透明可動カバーを開放またはケースから透明可動カバーを分離することによりフィンセット上に積み重なった綿くずおよび粉塵を容易に清掃できるから、電子装置が使用に便利である。
【図面の簡単な説明】
【００１６】
【図１】従来の電子装置を示す概略的な斜視図である。
【図２】この発明の実施形態にかかる電子装置を示す概略的な斜視図である。
【図３】図２の電子装置のファンモジュールを示す概略的な斜視図である。
【図４】図２の透明可動カバーがケースに対して開かれた状態を示す概略的な斜視図である。
【図５】透明可動カバーの１つの実例を示す概略的な斜視図である。
【図６】透明可動カバーの他の実例を示す概略的な斜視図である。
【図７】この発明の別な実施形態にかかる透明可動カバーを示す概略的な斜視図である。
【発明を実施するための形態】
【００１７】
以下、この発明を実施するための形態を図面に基づいて説明する。
図２は、この発明の実施形態にかかる電子装置を示す概略的な斜視図である。図３は、図２の電子装置のファンモジュールを示す概略的な斜視図である。図２と図３とにおいて、この実施形態の電子装置２００は、ケース２１０と、ファンモジュール２２０と、透明可動カバー２３０とを含む。ファンモジュール２２０がケース２１０中に配置され、かつファン２２２とフィンセット２２４とを含む。フィンセット２２４がファン２２２の傍らに配置されるとともに、スペースＳがフィンセット２２４およびファン２２２間に形成される。透明可動カバー２３０がケース２１０に連接され、かつフィンセット２２４およびファン２２２間に形成されるスペースＳの上方に位置する。
【００１８】
ケース２１０が多数の開口２１２を有するとともに、開口２１２がファンモジュール２２０のファン２２２上方に対応するように位置し、ファン２２２の空気出口または空気入り口として供される。また、透明可動カバー２３０の一側がケース２１０に連接され、かつ透明可動カバー２３０の他側がケース２１０に対して開放または閉鎖できる。図４は、図２の透明可動カバーがケースに対して開かれた状態を示す概略的な斜視図であり、図５は、透明可動カバーの１つの実例を示す概略的な斜視図である。図２と図４と図５とにおいて、詳細には、透明可動カバー２３０がボディ２３２とピボット２３４とを含む。ピボット２３４がボディ２３２の一側に配置されるとともに、ピボット２３４の両側がケース２１０に軸付けされて、ボディ２３２の他側がケース２１０に対して開放（図４に図示）および閉鎖（図２に図示）できる。図６は、透明可動カバーの他の実例を示す概略的な斜視図である。図６において、この実施形態中、ピボット２３４‘とボディ２３２‘とが一体的に成形される。再び、図２と図４とにおいて、ケース２１０が凹部２１４を有し、かつ凹部２１４がケース２１０に連接されない透明可動カバー２３０の一側に隣接して位置する。
【００１９】
再び、図３において、ファンモジュール２２０が更にフィンセット２２４を貫通するヒートパイプ２２６を含むとともに、ヒートパイプ２２６の一部がファン２２２を取り囲む。また、ファンモジュール２２０が更にヒートパイプ２２６に接触する多数の冷却プレート２２８を含み、かつ冷却プレート２２８が、例えば、ケース２１０中の処理チップのような電子部品（図示せず）上に配置され、電子部品により発生させられる熱量を冷却プレート２２８へ伝導することができる。
【００２０】
再び、図２と図４とにおいて、電子装置２００が操作される時、ケース２１０中の処理チップが熱量を発生する。そして、熱量が先ず冷却プレート２２８へ伝導されるとともに、冷却プレート２２８が冷却のために熱量をヒートパイプ２２６へ伝送し、かつファン２２２が熱量を強制的にケース２１０の外部へ排出する。
【００２１】
綿くず及び粉塵は、ファン２２２の運転のために、ケース２１０の開口２１２を介してケース２１０中に入るとともに、フィンセット２２４上に積み重なる。長い時間、電子装置２００が使用され、より多くの綿くず及び粉塵がフィンセット２２４上に積み重なる。この時、ユーザーは、透明可動カバー２３０を通してフィンセット２２４上に積み重なった綿くず及び粉塵の状態を監視できるとともに、フィンセット２２４上に積み重なった綿くず及び粉塵を清掃するか否か決定する。
【００２２】
再び、図２と図４とにおいて、ユーザーがフィンセット２２４上に積み重なった綿くず及び粉塵を清掃すると決定する時、ユーザーは、ケース２１０に対して連接されていない透明可動カバー２３０の一側を開けて、ブラシ・綿棒または他の清掃用品をフィンセット２２４およびファン２２２間に形成されたスペースＳへ容易に入れて、フィンセット２２４上に積み重なった綿くず及び粉塵を清掃することができる。また高度差が、ケース２１０の凹部２１４およびケース２１０に対して連接されていない透明可動カバー２３０の一側間に形成され、ユーザーが容易に彼女／彼の指を高度差にかけ、透明可動カバー２３０をケース２１０に対して開くことができる。
【００２３】
従って、フィンセット２２４上に積み重なった綿くず及び粉塵が、ケース２１０・ケース２１０中の他の電子部品およびフィンセット２２４さえもケース２１０から取り外すことなく清掃でき、容易なやり方で清掃を実施できるため、電子装置２００が使用に便利なものとなる。
【００２４】
図７は、この発明の別な実施形態にかかる透明可動カバーを示す概略的な斜視図である。図７において、この実施形態中、透明可動カバー２３０“が取外しできない一側によりケース２１０”に連接されていないが、ケース２１０”から直接取外しできる。詳しくは、透明可動カバー２３０“がフック２３２”を有するとともに、ケース２１０”が留め具（fastener）２１６を有する。透明可動カバー２３０“がケース２１０”に組み込まれる時、フック２３２”が留め具２１６に噛み合わされるとともに、ユーザーがケース２１０”から透明可動カバー２３０“を分離する時、ユーザーがフック２３２”および留め具２１６間の拘束（restriction）を解除し、透明可動カバー２３０“全体がケース２１０”から分離する。
【００２５】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００２６】
１００，２００  電子装置
１１０，２２０  ファンモジュール
１１２，２２２  ファン
１１４  冷却フィン
２１０，２１０“  ケース
２１４  凹部
２２４  フィンセット
２２６  ヒートパイプ
２２８  冷却プレート
２３０，２３０“  透明可動カバー
【図１】
2011071465.tif 000003
【図２】
2011071465.tif 000004
【図３】
2011071465.tif 000005
【図４】
2011071465.tif 000006
【図５】
2011071465.tif 000007
【図６】
2011071465.tif 000008
【図７】
2011071465.tif 000009
【外国語明細書】
2011071465000001.pdf